(57)【特許請求の範囲】
【請求項１】
複数個の衛生用シートロールをフィルムで包装した衛生用シートロール包装体であって、
複数の衛生用シートロールが、周面同士を隣接させて並列され、
前記フィルムが、そのＭＤ方向が衛生用シートロールの軸心方向に沿う方向となるようにして前記衛生用シートロールを被覆し、
前記フィルムに、前記ＭＤ方向に沿って延在するスリット状部分を有する開封用の裂開孔が形成され、かつ、その裂開孔を封止するようにしてテープ材が再接着可能な粘着面を介して貼付されているとともに、そのテープ材のフィルム貼付面に、前記裂開孔の内外に連通する硬質な突起部が配されている、
ことを特徴とする衛生用シートロール包装体。
【請求項２】
複数の衛生用シートロールが、周面同士を隣接させて並列され、
前記フィルムが、隣接する衛生用シートロールの周面間に架橋される部分を有して衛生用シートロールを被覆し、
前記裂開孔が、その架橋される部分に形成されている請求項１記載の衛生用シートロール包装体。
【請求項３】
前記テープ材は、前記フィルムに対して非接着の摘み端部を有する請求項１または請求項２に記載の衛生用シートロール包装体。
【発明の詳細な説明】
【技術分野】
【０００１】
本発明は複数個の衛生用シートロールを包装した衛生用シートロール包装体に関する。
【背景技術】
【０００２】
トイレットロール、キッチンロール等の帯状の衛生薄葉紙や不織布シートをロール状にした衛生用シートロールは、取り扱い性、衛生性、量販性を確保すべく、通常、複数個をまとめてフィルムにより包装して市販に供されている。
このような衛生用シートロール包装体においては、開封作業を容易にすべくフィルムに裂開用のミシン目線を形成することが行われている。
【特許文献１】特開２００３−１０４４４９
【発明の開示】
【発明が解決しようとする課題】
【０００３】
しかし、ミシン目線を形成すると所謂カット部（切れ目の部分）がフィルムの内外に連通するため、包装体の内部に菌、外気、塵などが混入するおそれがある。
特に衛生用シートロールは、人体や食品に触れる用途によく使用されるものであるだけに、衛生性、清潔性は重要である。
従って、ミシン目線のような包装体内外に連通するような切れ目部分があるのは好ましくはない。
【０００４】
さらに、当該ミシン目線の裂開によって形成される開封部分は、一度開封してしまうと再度封止することができない。
上述のように衛生用シートロールは複数個がまとめて包装されて市販に供されるため、いくつかのロールは開封されてから実際に使用されるまで時間を要する。従って、再封止できないと、この間に塵等に残ったロールがさらされるおそれがある。
さらに、ミシン目線を形成しただけでは、指で摘めないために開封作業に手間取ることがある。
【０００５】
そこで、本発明の主たる課題は、開封のしやすさを向上させるとともに、開封前に包装体内に塵等が入るおそれがなく、さらに一度封を開けても再度封することができる衛生用シートロール包装体を提供することにある。
【課題を解決するための手段】
【０００６】
上記課題を解決した本発明及びその作用効果は次記の通りである。
＜請求項１記載の発明＞
複数個の衛生用シートロールをフィルムで包装した衛生用シートロール包装体であって、
複数の衛生用シートロールが、周面同士を隣接させて並列され、
前記フィルムが、そのＭＤ方向が衛生用シートロールの軸心方向に沿う方向となるようにして前記衛生用シートロールを被覆し、
前記フィルムに、前記ＭＤ方向に沿って延在するスリット状部分を有する開封用の裂開孔が形成され、かつ、その裂開孔を封止するようにしてテープ材が再接着可能な粘着面を介して貼付されているとともに、そのテープ材のフィルム貼付面に、前記裂開孔の内外に連通する硬質な突起部が配されている、
ことを特徴とする衛生用シートロール包装体。
【０００７】
（作用効果）
本発明ではフィルムに開封用の裂開孔を形成するとともに、その裂開孔を封止するようにテープ材を貼付した。従って、このテープ材をフィルムから剥離しようとすると、脆弱な裂開孔近傍が、テープ材に取られ裂開孔が広がり、もって開封作業が容易に行える。また、裂開孔が封止されているので、塵などが混入することもない。
【０００８】
さらにスリット状部分がフィルムのＭＤ方向に沿っているため、裂開作業時にＭＤ方向に沿って直線状に裂開孔が裂けやすく、開封作業が極めて容易になるとともに、直線状の綺麗な開封口を得ることができる。
【０００９】
そして、裂開孔が衛生用シートロールの軸心方向に沿っているため、裂開孔の裂ける方向が、衛生用シートロールの巻き方向に直交する方向となり、裂開時にシートロールの巻きが剥がれるおそれがなくなる。
【００１０】
なお、ＭＤ方向とは、フィルム製造時における流れ方向に沿う方向である。例えば、フィルム原料をダイやリップから押し出して製造する際の流れ方向である。通常フィルムはＭＤ方向に裂けやすい性質がある。
【００１１】
また、テープ材を再接着可能としたので、テープ材を引っ張って裂開孔を裂開させて開封し、内包されている衛生用シートロールを取り出した後にできる空間、つまりフィルムの余裕部分を裂開部分が内側になるように畳み、最後にテープ材をフィルムの何れかの部分に再貼付することで、裂開部分が封止される。もって、開封後に包装体内に塵等が混入することを防止できる。
【００１２】
特に、本発明では、直線状に裂開孔が裂けやすいため、直線状に裂けた縁同士を重ね合わせて、テープ材を再貼付することにより、再封止を確実、かつ、無駄なく行うことができる。
また、本発明では、硬質な突起部により、裂開孔を裂開させる際に、テープを引張ることによって生ずるフィルムの自然な裂けのみならず、突起部材をフィルムのＭＤ方向に移動させることで、裂開孔の裂けが補助され、開封作業が容易になる。また、突起部が裂開孔の内外に連通しているので、裂開孔の密封性を向上させる効果も得られる。
【００１３】
＜請求項２記載の発明＞
複数の衛生用シートロールが、周面同士を隣接させて並列され、
前記フィルムが、隣接する衛生用シートロールの周面間に架橋される部分を有して衛生用シートロールを被覆し、
前記裂開孔が、その架橋される部分に形成されている請求項１記載の衛生用シートロール包装体。
【００１４】
（作用効果）
裂開孔が、フィルムの隣接する衛生用シートロールの周面間に架橋される部分に形成されていると、裂開孔がシートロールに接しないため、開封時にシートロールを破くおそれがない。また、当該位置はフィルムがシートロールに接していないため、フィルムの伸張がシートロールに拘束され難い。従って、テープ材を引っ張ったときに、当該裂開孔が引き裂けやすく、開封作業が容易になる効果も奏する。
【００１５】
また、この位置に裂開孔を形成すれば裂開孔の裂ける方向が常にロールのない部分を通って裂けやすくなり、開封作業が容易となる効果も奏する極めて綺麗な直線状の開封口をえることができる。
【００１６】
＜請求項３記載の発明＞
前記テープ材は、前記フィルムに対して非接着の摘み端部を有する請求項１または請求項２に記載の衛生用シートロール包装体。
【００１７】
（作用効果）
テープ材に摘み端部を形成したので、摘みやすく開封作業が容易になる。
【００１８】
【００１９】
【発明の効果】
【００２０】
以上の本発明によれば、開封のしやすさが向上され、開封前に包装体内に塵等が入るおそれがなく、しかも一度、開封しても再度封止することができる衛生用シートロール包装体が提供される。
【発明を実施するための最良の形態】
【００２１】
次いで、本発明の実施の形態を図１〜７を参照しながら以下に詳述する。
＜本発明の実施形態の基本構造＞
まず、図１〜５を参照しながら本発明の実施形態に係る衛生用シートロールの包装体の基本構造を説明する。係る包装体１０は、複数個の衛生用シートロール１１，１１…がフィルム１２によって包装されているものである。
【００２２】
本発明の衛生用シートロール１１，１１…は、帯状の薄葉紙や不織布シートをロール状に巻き取ったものであり、例示するならば、トイレットロール、キッチンロール、ワイプロール等である。図示例の衛生用シートロールは、トイレットロールである。
衛生用シートロール１１，１１…の素材及びその原料、坪量、密度、大きさ、プライ数等の具体的な物性は特に限定されない。その製造方法等も周知技術による。
【００２３】
例示すれば、２枚重ねシートのトイレットロールであれば、芯径が３５〜４８ｍｍ、巻径が１００〜１２０ｍｍ、巻長が２０〜５０ｍのものが一般的であり、本包装体１０もかかるトイレットロールを採用しうる。
キッチンロールであれば、薄葉紙のほかに、レーヨン、ポリエチレンテレフタレート、ポリアクリル、ポリエステル、ポリエチレン等の繊維を含む不織布シートの積層体やこれにコットンシート、パルプシートを積層した積層体などを適宜の筒状に巻き取ったものも例示できる。
【００２４】
他方、本包装体１０は、内包される複数の衛生用シートロール１１が、周面１１Ｃ同士を隣接させて並列されている（隣接部分を図中１１ｎで示す）。包装がコンパクトになることから、図示例のように、実質的に直線一列の端面列１０Ｓを有するように並列されているのがより望ましい。
【００２５】
本包装体１０は、例えば、図１に示すように、２個の衛生用シートロール１１が、周面で接する方向に２個、端面で接する方向に２個並ぶように合計４個が配置されていてもよいが、図２に示すように、周面１１Ｃで接する方向に４個、端面１１Ｓで接する方向に３個が並ぶように計１２個の衛生用シートロールからなる配置を採ることもできる。
【００２６】
本包装体１０においては、内包される衛生用シートロール１１，１１…の個数は限定されることなく、本発明の配置の範囲内において適宜の個数とすることができる。
【００２７】
他方、本包装体１０では、このように配列された衛生用シートロール１１，１１…を、フィルム１２が適度な引張力をもって被覆して包装している。従って、図３に示されるように、フィルム１２は、隣接する衛生用シートロール１１，１１の周面１１Ｃ，１１Ｃ間に架橋される部分１２ｘを有し、衛生用シートロール１１の周面１１Ｃ及び隣接部分１１ｎとフィルム１２ｘとの間に空間Ｓが形成されている。
【００２８】
このような包装態様は、例えば、図１に示されるキャラメル包装や、図２に示されるガゼット包装により達成できる。コスト面などから本発明においてもこれらの包装態様が好適である。これらの包装方法は、周知の技術であるが、説明すれば、キャラメル包装は、被包装物をフィルムで巻き込むように包み、その巻き込み方向において重畳する縁部を接着し、さらに被包装物を越えて延び出した部分を、対向する２つの縁から前記被包装物側に折り込み、その際に形成される三角形片又は台形片の少なくとも各先端縁部同士を接着部してなる包装態様である。このキャラメル包装を行う装置等は、既知の装置が利用される。
【００２９】
ガゼット包装は、被包装物１１，１１…を両端開口の筒状体内に挿入し、被包装物を超えて飛び出す両端部を余剰代２０とし、この余剰代２０を接着した開口を封止する包装態様である。図２に示す例では、余剰代２０を接着した接着部分３０に取手部４０が設けられている。このようなガゼット包装を行う装置等も、既知の装置が利用される。
【００３０】
衛生用シートロール１１，１１…を包装するフィルム１２としては、この種の衛生用シートロール１１，１１の包装材として用いられている既知のフィルムが利用できる。
フィルム１２は、内包される衛生用シートロール１１，１１が外部から視認できるように、透明であるのがよい。市販に供するにあたって、商品名等の適宜の印刷が設けられていてもよい。
【００３１】
フィルム１２の具体例としては、ＨＤＰＥ（高密度ポリエチレン）フィルム、ＬＤＰＥ（低密度ポリエチレン）フィルム、ＬＬＤＰＥ（リニア低密度ポリエチレン）フィルム等のポリエチレンフィルム、ポリスチレンフィルム、ポリプロピレンフィルム等又はこれらの積層フィルムが挙げられる。安価であり適度な引裂き性を有し、しかも適度な強度を確保できることから、ＨＤＰＥフィルム、ＬＤＰＥフィルム、ＨＤＰＥとＬＤＰＥ配合フィルムが好適である。
【００３２】
用いるフィルム１２の製造方法は限定されない。フィルム１２の原料となる樹脂の種類に応じて適宜のフィルム形成方法によって製造すればよい。例示すれば、Ｔダイ法などの押し出し法が挙げられる。積層構造の場合は、押し出しラミネート法などが挙げられる。また、所定方向へ裂けやすくするための延伸処理をしてもよい。
【００３３】
フィルム１２の厚さは１０〜８０μｍであるのが望ましい。８０μｍを超えると引裂き性が不十分で開封作業が困難となることがあり、１０μｍ未満であると強度が十分でなく意図せず破れるおそれが高まる。
【００３４】
フィルム１２の引き裂き強度は、１００〜８００ｃＮであるのが望ましい。なお、ここでの引き裂き強度は、ＪＩＳ  Ｋ  ７１２８（トラウザー引き裂き法）に準じて、２００ｍｍ／ｍｉｎで測定した際のＭＤ方向に引き裂いた時の強度である。この引き裂き強度が１００ｃＮ未満であると、意図せず破けるおそれがあり、８００ｃＮを超えると本発明の効果である開封作業が困難となる。
【００３５】
さらに、フィルム１２の伸びは、１００〜７００％であるのが望ましい。なお、ここでのフィルムの伸びは、ＪＩＳ  Ｋ  ７１２７に準じて試験片幅１５ｍｍ、チャック間距離５０ｍｍ、速度３００ｍｍ／ｍｉｎで測定したフィルム１２のＭＤ方向の伸びである。フィルムの伸びが１００％未満であると十分な強度が得られにくく、また、取り扱い性に劣るようになる。フィルム１２の伸びが７００％を超えると、開封時に伸びて開封しづらくなったり、包装体の形状が崩れやすくなり、輸送性や取り扱い性が悪化する。
ここで、フィルム１２のＭＤ方向とは、フィルム製造時における押し出し方向であり、一般にフィルム１２は当該方向に裂けやすい性質を有する。
【００３６】
他方、本包装体１０は、図１〜３に示されているように、フィルム１２の隣接する衛生用シートロール１１，１１の周面１１Ｃ，１１Ｃ間に架橋される部分に裂開孔１５が形成され、さらにその裂開孔１５を封止するようにして粘着性のテープ材１６が貼付されている。このテープ材１６の存在によって、裂開孔１５から包装体内部に塵などが混入することが防止されるとともに、テープ材１６をフィルム１２から剥離すると裂開孔１５の周囲のフィルム１２がテープ材１６に取られて、裂開孔１５が広がり包装が開封しやすくなる。
【００３７】
前記裂開孔１５は、図４（Ａ）〜（Ｄ）に例示されるように一直線状、十字状、細長三角状、菱形状等の形状のような線状又は細長線状のスリット状部分を有する形状であるのが好ましい。スリット状部分があると、テープ材を剥がした際に、スリット状部分の両端が広がるように裂けるようにでき、開封をスムーズに行うことができる。
【００３８】
図示例の本包装体１０では、特に前記スリット状部分が衛生用シートロールの軸心方向に沿う方向となっている。従って、スリット状部分が延在するように裂けたときに、フィルムの衛生用シートロールとの接触部分を避けて常に前記空間部分を通って裂開が進み、一層スムーズな裂開がなされる。また、直線状の裂開縁が形成され開封口の意匠性にも優れるようになる。
【００３９】
ここで裂開孔のスリット状部分の長さは３ｍｍ〜１５ｍｍとするのがよく、３ｍｍ未満であると開封のしやすさが向上せず、１５ｍｍを超えると意図せずに裂開するおそれが高まる。
【００４０】
他方、裂開孔１５のスリット状部分１５Ａは、フィルム１２のＭＤ方向に沿うように形成する。なおＭＤ方向とは、上記のとおりフィルム製造時における押し出し方向であり、一般にフィルムは当該方向に裂けやすい性質を有する。特に、ＬＤＰＥフィルム、ＨＤＰＥフィルム等のポリエチレンフィルムはこの性質が顕著である。従って、上記のようにスリット状部分を衛生用シートロールの軸心方向に沿うようにする場合、フィルムのＭＤ方向が前記軸心方向に沿う方向となるように包装するのがよい。そして、さらにＬＤＰＥフィルム、ＨＤＰＥフィルム、ＬＤＰＥとＨＤＰＥの配合フィルムを用いるのがよい。このようにすると極めて裂開作業が容易かつ、直線状の意匠性及び再封性に優れる開封口が形成されるようになる。
【００４１】
他方、前記テープ材１６は、樹脂製のテープ基材１６ｂの一方の面に粘着剤１６ｃが塗布された既知の粘着テープで形成することができる。
テープ材１６とフィルム１２との剥離強度は、５０〜５００ｃＮとするのがよい。５０ｃＮ未満であると裂開孔の裂開がされにくくなり、５００ｃＮを超えるとフィルムが伸びたり破れたりして開封しづらくなる。なお、剥離強度の測定は試験片幅１５ｍｍ、剥離スピード２００ｍｍ／ｍｉｎ、Ｔ型剥離法にて測定した。
【００４２】
他方、前記テープ材１６は、引き剥がし作業をしやすくするために、図示例のように端部に両面非粘着性でフィルムに対して自由な摘み端部１６Ａを形成するのが望ましい。摘み端部１６Ａは、図示例のように別のシート材１６ａをテープ材の粘着面端部に貼付することで形成することができる。また、粘着面を内側にしてテープ材端部を折り返したり、テープ材端部の粘着面を糊殺して形成してもよい。
【００４３】
さらに、摘み端部１６Ａの位置は、例えば、摘み端部がスリット状部分の両端延在位置に重ならない位置として、これを持ってテープ材１６をフィルム１２から引き剥がす操作をしたときに、その引き剥がし方向が、スリット状部分１５Ａの延在方向に直交する方向となるようにするのがよい。このようにすると、摘み端部１６Ａを引っ張るとスリット状部分１５Ａで裂開孔１５分断がされ裂開が容易に開始されて開封がスムーズになされる。
さらに、テープ材は、フィルムに対して再接着可能に構成するのがよい。これは、剥離強度及び粘着力の調整により達成できる。
【００４４】
このように再接着可能であると、一度裂開孔を裂開して開封して内部の衛生用シートロールのいくつかを取出したのち、当該取出しによって形成されるフィルムの自由な余剰部分を開封口が閉じるように折り畳んでテープ材を再度接着させることで、再封止される。
これによって、一端開封した後に、包装体内部に塵などが入らなくなる。
【００４５】
特に、上述のようにスリット状部分１５Ａのある裂開孔１５として、そのスリット状部分１５Ａをフィルム１２のＭＤ方向かつ衛生用シートロール１１の軸心方向に沿うようにし、さらにＨＤＰＥフィルム、ＬＤＰＥフィルム、ＬＤＰＥとＨＤＰＥの配合フィルムを用いることで直線状の開封縁が形成されやすくした包装体においては、開封縁が直線状となり開封口が不要に大きくならないので、前記フィルム１２の余剰部分の折り畳みによって開封口を再封しやすく、極めて衛生的かつ利便性に優れるものとなる。
【００４６】
他方、本発明の包装体においては、特に図６に示す形態のように、テープ材１６のフィルム貼付面に、裂開孔１５の内外に連通する硬質な突起部１７が配れている。このように突起部１７を配することにより、テープ材１６の剥離の際に裂開孔１５まで剥離されたときに当該突起部１７が自由に移動可能となり、この突起部１７を裂開孔１５の縁に押し当てることで裂開孔１５の裂開が助けられる。特に、スリット状部分を有する裂開孔内に、断面楔型の薄型片状の突起部が突出するようにした形態であれば、極めて裂開性に優れるものとなる。
【００４７】
このように突起部１７を配しても、上述のように隣接する衛生用シートロール１１，１１の周面１１Ｃ，１１Ｃ間に架橋された部分に裂開孔１５を形成すれば、前記突起部１７が内部の衛生用シートロール１１に接することがなく、衛生用シートトール１１の破損は防止できる。
【００４８】
さらに、本発明では、図７に示すように、スリット状部分を有する裂開孔としてＵ字状に裂開孔１５を形成し、そのＵ字の湾曲先端側に摘み端部１６Ａが位置するようにしてテープ材１６をフィルムに貼付することができる。この例では、テープ材１６を引っ張るとＵ字状の湾曲先端から両端が延在するように裂けて開封される。
【００４９】
以上のとおり本発明の包装体１０は、開封作業が極めてしやすい。そして開封前に包装体内に塵等が入るおそれがなく、しかも一度、開封しても再度封止することができる。
【産業上の利用可能性】
【００５０】
この本発明は、トイレットロール、キッチンロール等の筒状製品を包装した包装体に利用可能である。
【図面の簡単な説明】
【００５１】
【図１】本発明の第１の実施の形態の衛生用シートロール包装体の斜視図である。
【図２】本発明の第１の実施の別の形態の衛生用シートロール包装体の斜視図である。
【図３】図１のＩＩＩ―ＩＩＩ断面図である。
【図４】図３のＩＶ部分の拡大斜視図である。
【図５】裂開孔の例を示す図である。
【図６】本発明の他の実施の形態の衛生用シートロール包装体の裂開孔近傍を示す斜視図である。
【図７】本発明の別の実施の形態の衛生用シートロール包装体の裂開孔近傍を示す図である。
【符号の説明】
【００５２】
１０…衛生用シートロール包装体、１０Ｓ…端面列、１１…衛生用シートロール、１１Ｓ…端面、１１Ｃ…周面、１１ｎ…衛生用シートロール周面の隣接部分、１２…フィルムシート、Ｓ…空間、１５…裂開孔、１５Ａ…スリット状部分、１６…テープ材、１６Ａ…摘み端部、１６ａ…シート材、１６ｂ…テープ基剤、１６ｃ…粘着剤、２０…余剰代、３０…接着部分、４０…取手部。
【図１】
0005198090.tif 000002
【図２】
0005198090.tif 000003
【図３】
0005198090.tif 000004
【図４】
0005198090.tif 000005
【図５】
0005198090.tif 000006
【図６】
0005198090.tif 000007
【図７】
0005198090.tif 000008